(57)【要約】      （修正有）【課題】無線温度・圧力センサを外さずにタイヤに注気し、タイヤ内気体の温度・圧力をリアルタイムかつ正確に測定できる双通路式無線温度・圧力センサを提供する。【解決手段】双通路式無線温度・圧力センサは双通路ハウジング１０、吸気弁体２１、注気弁体２２、電源供給モジュール３０及び回路基板４０を備える。双通路ハウジング１０は蓋体１３、台座１２、固定溝１１を含む。蓋体１３は台座１２と結合されて収納空間１６が形成される。固定溝１１は収納空間１６に設けられ、台座１２と結合されてチャンバ１５が形成される。台座１２はチャンバ１５と連通した吸気通路１２２、注気通路１２３を有する。吸気弁体２１は吸気通路１２２に配置されて結合される。注気弁体２２は注気通路１２３に配置されて結合される。【選択図】図３
0003191005.tif 000002
【実用新案登録請求の範囲】
【請求項１】
双通路ハウジング、吸気弁体、注気弁体、回路基板及び電源供給モジュールを備えた双通路式無線温度・圧力センサであって、
前記双通路ハウジングが蓋体と、台座と、固定溝とを含み、前記蓋体は前記台座と結合されて収納空間が形成され、前記固定溝が前記収納空間に設けられ、前記台座と結合されてチャンバが形成され、前記台座が前記チャンバに連通される吸気通路と、注気通路とを有し、
前記吸気弁体が前記吸気通路に配置されて結合され、
前記注気弁体が前記注気通路に配置されて結合され、
前記回路基板が前記固定溝中に配置されるとともに、無線通信モジュール、センサモジュール及びアンテナ挿入口を有し、前記センサモジュールが前記吸気孔に対応して前記アンテナ挿入口に送信アンテナを挿設し、
前記電源供給モジュールが電池を含み、前記固定溝の上方に配置されるとともに前記回路基板と接続されることを特徴とする双通路式無線温度・圧力センサ。
【請求項２】
前記送信アンテナが前記回路基板の水平面に対して垂直下向きにハウジングまで延びることを特徴とする請求項１に記載の双通路式無線温度・圧力センサ。
【請求項３】
前記台座と前記蓋体との間にはナット部材が設けられ、前記ナット部材により前記台座と前記蓋体とが結合されることを特徴とする請求項１に記載の双通路式無線温度・圧力センサ。
【請求項４】
前記台座の注気通路の内槽壁には雌ネジが設けられ、
前記注気弁体には前記雌ネジに対応した雄ネジが設けられることを特徴とする請求項１に記載の双通路式無線温度・圧力センサ。
【請求項５】
前記台座の外向きには六角ケーシングが延伸されていて、前記注気通路が前記六角ケーシングに配置されることを特徴とする請求項１に記載の双通路式無線温度・圧力センサ。
【請求項６】
前記台座の注気弁体の外側壁には雄ネジが設けられ、
前記雄ネジが外部ポンプ装置に螺合として用いることを特徴とする請求項１に記載の双通路式無線温度・圧力センサ。
【請求項７】
前記固定溝には密封プラスチック環が結合され、
前記固定溝の外縁中間部には溝部が設けられ、
前記密封プラスチック環は前記溝部中に配置されることを特徴とする請求項１に記載の双通路式無線温度・圧力センサ。
【請求項８】
前記電源供給モジュールがさらに第１の導電部材及び第２の導電部材を含み、前記第１の導電部材の一端及び前記第２の導電部材の一端が前記回路基板と電気的に接続され、前記第１の導電部材の他端及び前記第２の導電部材の他端が前記電池の両電極とそれぞれ電気的に接続されることを特徴とする請求項１に記載の双通路式無線温度・圧力センサ。
【請求項９】
前記固定溝が２つの導電部材穿孔を有し、
前記第１の導電部材及び前記第２の導電部材が前記２つの導電部材穿孔へそれぞれ挿着されて前記回路基板に接続されることを特徴とする請求項８に記載の双通路式無線温度・圧力センサ。
【請求項１０】
前記電池の前記第１の導電部材が上面に配置され、前記第２の導電部材が底面に配置され、
前記第１の導電部材の一端が前記電池に掛け渡されるように設けられるとともに前記回路基板に接続されることを特徴とする請求項８に記載の双通路式無線温度・圧力センサ。
【考案の詳細な説明】
【技術分野】
【０００１】
本考案は、無線温度・圧力センサに関するもので、特に、双通路を具有する双通路式無線温度・圧力センサに関する。
【背景技術】
【０００２】
従来のタイヤ圧測定はセンサをタイヤのノズルに取り付けられている。タイヤのノズルから漏出した圧力や温度をセンサ測定することによりタイヤ圧またはタイヤ温度を測定し、測定が終わった後センサを外す。この測定方法は測定する度にセンサを再び取り付ける必要があるためとても不便である。さらに、一部のセンサは使用者にいつもタイヤ圧又はタイヤ温度を監視するため、ずっとノズルが取り付けられている。しかしタイヤ圧が不足し注気したい場合は、センサをノズルから外して注気ツールを設置してから注気する必要がある。このような使用方法は使用者にとってとても不便である。
【考案の概要】
【考案が解決しようとする課題】
【０００３】
本考案の第１の目的はタイヤ内気体の温度及び圧力をリアルタイムかつ正確に測定し、無線温度・圧力センサを外さずに且つ直接タイヤに注気できる双通路式無線温度・圧力センサを提供することにある。
【０００４】
本考案の第２の目的は送信アンテナが回路基板の水平面に対して垂直下向きに双通路ハウジングまで延ばされ、電池及びホイールと電気的に接続されていないため、効果的に無線信号を送信して信号の減衰を防ぐ双通路式無線温度・圧力センサを提供することにある。
【０００５】
本考案の第３の目的は台座と前記蓋体との間にナット部材が設けられ、ナット部材により台座と蓋体とが結合されており、蓋体から取り外して電池交換が可能な機能を有する双通路式無線温度・圧力センサを提供することにある。
【０００６】
本考案の第４の目的は台座の外向きに六角ケーシングが延伸されており、注気通路が六角ケーシングに配置され、センサがトラックの内輪に設置された際、専用スリーブを用いて容易にセンサの取り外しができる双通路式無線温度・圧力センサを提供することにある。
【０００７】
本考案の第５の目的は台座の注気弁体の外側壁に雄ネジが設けられ、雄ネジが外部ポンプ装置の螺合として用いられ、外部ポンプ装置から直接注気通路を通じてタイヤに注気機能を提供することができる双通路式無線温度・圧力センサを提供することにある。
【課題を解決するための手段】
【０００８】
上記課題を解決するための本考案の第１形態は、双通路ハウジング、吸気弁体、注気弁体、回路基板、電源供給モジュール及び送信アンテナを備えた双通路式無線温度・圧力センサであって、前記双通路ハウジングが蓋体と、台座と、固定溝とを含み、前記蓋体に前記台座と結合されて収納空間が形成され、前記固定溝が前記収納空間に設けられ、前記台座と結合されてチャンバが形成され、前記台座が前記チャンバに連通される吸気通路と、注気通路とを有し、前記吸気弁体が前記吸気通路に配置されて結合され、前記注気弁体が前記注気通路に配置されて結合され、前記回路基板が前記固定溝中に配置されるとともに、無線通信モジュール、センサモジュール及びアンテナ挿入口を有し、前記センサモジュールは前記チャンバに対応し、前記電源供給モジュールが前記固定溝の上方に配置され、前記アンテナ挿入口に送信アンテナが挿設され、前記電源供給モジュールが電池を含めて前記固定溝の上方に配置されるとともに、前記回路基板と接続されることを特徴とする双通路式無線温度・圧力センサを提供する。
【０００９】
前記送信アンテナは前記回路基板の水平面に対して垂直下向きにハウジングまで延ばされることが好ましい。
【００１０】
前記台座と前記蓋体との間にはナット部材が設けられ、前記ナット部材により前記台座と前記蓋体とが結合されることが好ましい。
【００１１】
前記台座の注気弁体の内槽壁には雌ネジが設けられ、前記注気弁体には前記雌ネジに対応した雄ネジが設けられることが好ましい。
【００１２】
前記台座の外向きには六角ケーシングが延伸されており、前記注気通路が前記六角ケーシングに配置されることが好ましい。
【００１３】
前記台座の注気弁体の外側壁には雄ネジが設けられ、前記雄ネジが外部ポンプ装置に螺合として用いることが好ましい。
【００１４】
前記固定溝には密封プラスチック環が結合され、前記固定溝の外縁中間部には溝部が設けられ、前記密封プラスチック環は前記溝部中に配置されることが好ましい。
【００１５】
前記電源供給モジュールはさらに第１の導電部材及び第２の導電部材を含み、前記第１の導電部材の一端及び前記第２の導電部材の一端が前記回路基板と電気的に接続され、前記第１の導電部材の他端及び前記第２の導電部材の他端が前記電池の両電極とそれぞれ電気的に接続されることが好ましい。
【００１６】
前記固定溝は２つの導電部材穿孔を有し、前記第１の導電部材及び前記第２の導電部材は前記２つの導電部材穿孔へそれぞれ挿着されて前記回路基板に接続されることが好ましい。
【００１７】
前記電池は前記第１の導電部材が上面に配置され、前記第２の導電部材が底面に配置され、前記第１の導電部材の一端は前記電池に掛け渡されるように設けられるとともに、前記回路基板に接続されることが好ましい。
【考案の効果】
【００１８】
本考案の双通路式無線温度・圧力センサの双通路設計によれば、ノズルに配置されて結合されている吸気通路を介して気体の温度及び圧力に関する検出された正確な情報をリアルタイムに送信アンテナを通じて使用者に伝えることができる。そして、双通路中の注気通路を通じて、使用者が無線温度・圧力センサを外さずにタイヤに注気できるとともに、リアルタイムにタイヤ圧が測定できるため、センサの実用性を上昇させることができる。また、台座と蓋体が取り外し可能なナット部材により螺合固定されるため、電力が無くなった時に使用者が電池を交換することが可能になる。さらに、六角ケーシングの設計に専用なスリーブを加えると容易に外せるとともに、盗難防止ナットと結合することにより盗難を防ぐことができる。
【図面の簡単な説明】
【００１９】
【図１】本考案の一実施形態に係る双通路式無線温度・圧力センサを示す斜視図である。
【図２】本考案の一実施形態に係る双通路式無線温度・圧力センサを示す分解斜視図である。
【図３】図１の線Ａ−Ａに沿った断面図である。
【図４】本考案の双通路式無線温度・圧力センサの電源供給モジュールを固定溝へ取り付けたときの状態を示す斜視図である。
【考案を実施するための形態】
【００２０】
以下、本考案の実施形態について図に基づいて説明する。なお、これによって本考案が限定されるものではない。
【００２１】
図１〜図４を参照する。図１〜図４に示すように、本考案の一実施形態に係る双通路式無線温度・圧力センサは車両用タイヤのノズル上に接続され、車両用タイヤ内の気体の温度及び圧力を検出してタイヤの使用状態を理解し、走行の安全性を高める。本実施形態に係る双通路式無線温度・圧力センサは少なくとも双通路ハウジング１０、吸気弁体２１、注気弁体２２、電源供給モジュール３０、回路基板４０及び送信アンテナ５０から構成される。
【００２２】
双通路ハウジング１０はノズルに接続されるとともに、固定溝１１と、凹溝１２１を有する台座１２と、凹溝１３１を有する蓋体１３とを含む。固定溝１１の下部に円形側壁が設けられて台座１２と結合され、内部にチャンバ１５が形成される。本実施形態の固定溝１１の底部には対応凹溝１１２が設けられる。この対応凹溝１１２は円形側壁内に形成され、円形側壁の外側面に雄ネジが設けられる。台座１２には凹溝１２１が設けられる。凹溝１２１の内壁面は雌ネジを有するとともに、固定溝１１の円形側壁外側に結合され、固定溝１１の対応凹溝１１２に突き合わせてチャンバ１５が形成され、凹溝１２１の内壁面内と固定溝１１の円形側壁外側との間の結合箇所に接着剤を塗布してチャンバ１５の密閉を完璧に行い、これにより測定の正確度を高めることができる。固定溝１１の上部には半円形状側壁１１０が形成される。台座１２と蓋体１３とを結合すると内部に収納空間１６が形成される。本実施形態の台座１２と蓋体１３との間にナット部材１７が設けられ、ナット部材１７により台座１２と蓋体１３が結合されている。固定溝１１は２つの導電部材穿孔１１１を有する。２つの導電部材穿孔１１１は固定溝１１に貫通される。固定溝１１には密封プラスチック環１４が結合され、固定溝１１の外縁中間部には溝部が設けられ、密封プラスチック環１４は収納空間１６の密閉度を高めて水分が浸入しないように、溝部中に結合されるのが望ましい。
【００２３】
台座１２はチャンバ１５に連通される吸気通路１２２と、注気通路１２３とを有する。吸気弁体２１は吸気通路１２２に配置されて結合されている。吸気通路１２２の内壁面は雌ネジが設けられ、ノズルと螺合するように用いる。台座１２の外向きに六角ケーシング１８が延伸されており、注気通路１２３が六角ケーシング１８に配置される。六角ケーシング１８を回して開けるためには特殊のハンドツールを使用する必要がある。台座１２の吸気通路１２２がノズルに螺合固定された後、六角ケーシング１８を回転させる特殊のハンドツールを使用しないと、台座１２が回せずノズルから吸気通路１２２が外せない。六角ケーシング１８に専用スリーブを加えると容易に外せるとともに、盗難防止ナットと結合することにより盗難から防ぐことができる。台座１２の注気通路１２３の内槽壁には雌ネジが設けられ、注気弁体２２には雌ネジに対応した雄ネジが設けられる。雄ネジと雌ネジが螺合することによって、注気弁体２２が注気通路１２３に結合される。台座１２の注気通路１２３の外側壁には雄ネジが設けられ、雄ネジは外部ポンプ装置と螺合するように用いる。本考案の台座１２の双通路設計によれば、吸気通路１２２がノズルと螺合されてタイヤの気体をチャンバ１５に導入し、タイヤ圧またはタイヤ温度を測定することができる。注気通路１２３にノズルと同じの雄ネジを設置されることによって外部ポンプ装置が注気通路１２３と螺合され、注気弁体２２から気体をチャンバ１５中に注気することができる。
【００２４】
電源供給モジュール３０は固定溝１１上に配置され、収納空間１６中に収納される。電源供給モジュール３０は電池３１、第１の導電部材３２及び第２の導電部材３３を含む。第１の導電部材３２の一端及び第２の導電部材３３の一端は固定溝１１の２つの導電部材穿孔１１１へそれぞれ挿着されて回路基板４０と電気的に接続される。第１の導電部材３２の他端及び第２の導電部材３３の他端は電池３１の両電極とそれぞれ電気的に接続される。電池３１は上面に第１の導電部材３２が配置され、底面に第２の導電部材３３が配置される。第１の導電部材３２の一端は電池３１に掛け渡されるように設けられるとともに、固定溝１１の導電部材穿孔１１１に挿着され、これにより、電池３１が第１の導電部材３２と第２の導電部材３３との間に挟持されて固定溝１１上に配置され、固定溝１１上の一側に半円形状側壁１１０が形成され、固定溝１１上の他方の側部に半円形状の切欠きが形成されているため、電池３１の交換作業を容易に行うことができる。本実施形態の第１の導電部材３２は外リング３２１、２つの延伸部３２２，３２３及び複数の爪状弾片３２４を含む。これら複数の爪状弾片３２４は外リング３２１から内方へ突出されて下向きに電池３１と当接される。これら爪状弾片３２４間には電池３１を容易に取り外すことができるように、少なくとも１つの大き目の切欠き３２４１が設けられている。これら２つの延伸部３２２，３２３は外リング３２１の対をなす両端から下向きに曲げられて延び、電池３１に掛け渡される。一方の延伸部３２２は固定溝１１の導電部材穿孔１１１に挿着され、他方の延伸部３２３は爪部３２３１を有するとともに、固定溝１１の側壁上に設けられた係止孔１１３に掛止される。また、ナット部材１７を弛むことにより蓋体１３を開き、双通路式無線温度・圧力センサを外さずに電池３１の交換作業を容易に行うことができる。
【００２５】
回路基板４０は固定溝１１に配置されるとともに第１の導電部材３２及び第２の導電部材３３と電気的に接続される。回路基板４０は無線通信モジュール４１、センサモジュール４２及びアンテナ挿入口４３を有する。回路基板４０は無線通信モジュール４１及びセンサモジュール４２と電気的に接続される。センサモジュール４２はチャンバ１５に対応し、検出した数値を回路基板４０へ送信し、無線通信モジュール４１が送信アンテナ５０を介して無線信号を送信する。本実施形態において、無線通信モジュール４１は回路基板４０の底側に配置される。センサモジュール４２は回路基板４０の底側に配置されてチャンバ１５に対応し、アンテナ挿入口４３が無線通信モジュール４１に接続される。センサモジュール４２が台座１２のチャンバ１５に対応し、吸気弁体２１が吸気通路１２２に結合されているため、吸気弁体２１からチャンバ１５に排出される気体をセンサモジュール４２により直接検出し、気体の温度及び圧力をリアルタイムかつ正確に検出することができる。また、無線通信モジュール４１は無線通信方式により更新制御プログラムをセンサモジュール４２へ書き込み、制御プログラムの設定を随時更新したり、無線通信方式により記憶したデータを読み取ったりすることができる。
【００２６】
送信アンテナ５０の一端がアンテナ挿入口４３に収納されて回路基板４０と電気的に接続され、且つ送信アンテナ５０は回路基板４０から下向きに台座１２まで延びて棒状に形成される。送信アンテナ５０とアンテナ挿入口４３との結合箇所には気体が漏れることを防ぐために接着剤が塗布されていることが好ましい。本実施形態において、送信アンテナ５０は略円柱状の金属導体であるが、これだけに限定されるわけではない。送信アンテナ５０を回路基板４０のアンテナ挿入口４３へ設置して回路基板４０の水平面に対して垂直にし、下向きに延ばして双通路ハウジング１０の台座１２と当接し、電源供給モジュール３０との間に好適な電磁場を形成することにより、無線信号を送信して信号の減衰を防ぐ。即ち、送信アンテナ５０の延伸方向が回路基板４０及び電池３１の水平方向に対して垂直であるため、無線送信する際、回路基板４０及び電池３１の作動により発生するマイクロ波による影響を防ぐことができるため、無線伝送の効果を高めることができ、その原理は一般のアンテナが地面に対して垂直に立てて通信距離を延ばすことと同様である。また、棒状のアンテナは可撓性を備えており、走行により車体が振動しても送信アンテナ５０はそれが有する可撓性により振動を吸収して台座１２に接触されているため、従来技術のように金属接点が外れて接触不良を起こす問題が改善される。
【００２７】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２８】
１０  双通路ハウジング
１１  固定溝
１１０  半円形状側壁
１１１  導電部材穿孔
１１２  対応凹溝
１１３  係止孔
１２  台座
１２１  凹溝
１２２  吸気通路
１２３  注気通路
１３  蓋体
１３１  凹溝
１４  密封プラスチック環
１５  チャンバ
１６  収納空間
１７  ナット部材
１８  六角ケーシング
２１  吸気弁体
２２  注気弁体
３０  電源供給モジュール
３１  電池
３２  第１の導電部材
３２１  外リング
３２２  延伸部
３２３  延伸部
３２３１  爪部
３２４  爪状弾片
３２４１  大き目の切欠き
３３  第２の導電部材
４０  回路基板
４１  無線通信モジュール
４２  センサモジュール
４３  アンテナ挿入口
５０  送信アンテナ
【図１】
0003191005.tif 000003
【図２】
0003191005.tif 000004
【図３】
0003191005.tif 000005
【図４】
0003191005.tif 000006